(57)【特許請求の範囲】
【請求項１】
モータ部の外殻ケーシング内にステータ部を配置し、ポンプ部の羽根車の回転基部であるロータの永久磁石を前記ステータ部の内側に位置させ、前記ステータと前記永久磁石をケーシングで区画してモータ部内に流路を形成した構成であって、前記永久磁石を極異方性の磁石で形成し、センサー用基板および駆動用基板を前記外殻ケーシング内に設け、前記駆動用基板の駆動用回路素子を外殻ケーシングのアルミニウムよりなるアルミ蓋に導熱性の接着剤であるシリコーン剤により密着させたことを特徴とする電磁駆動ポンプ。
【発明の詳細な説明】
【０００１】
【発明の属する技術分野】
本発明は、温浴器や給湯器等の湯水の循環用等に使用される電磁駆動ポンプに関する。
【０００２】
【従来の技術】
従来から、一般家庭で浴水循環や給湯用に使用されるポンプは小型化が要求され、また、お湯漏れがあってはならないために軸封部をなくすようにしている。このようなことから、ポンプにおけるモータ部のステータの内側に、合成樹脂成形品よりなるポンプケーシングと一体の区画ケーシングを嵌め込み、この区画ケーシング内に羽根車の永久磁石部および回転支軸を配設し、前記モータ部内を流路化した電磁駆動ポンプが用いられるようになっている。
【０００３】
図３は従来の電磁駆動ポンプの断面図を示し、図示のように電磁駆動ポンプは、モータ部１と、このモータ部１に結合したポンプケーシング２と、ポンプケーシング２内に配置された羽根車３と、ポンプケーシング２に接合したケーシングカバー４と、モータ部１内に配置されたセンサー用基板５と、本体の外側に配置した駆動用基板６を有している。
【０００４】
前記モータ部１は、アルミ材よりなる外殻ケーシング７と、外殻ケーシング７内に装備されたステータ８と、ポンプケーシング２と一体で、かつ、前記ステータ８の内側に嵌め込まれたＰＰＥ樹脂製の区画用のケーシング９と、区画用のケーシング９内に位置するロータ、すなわち、羽根車３の回転基部１０および羽根車３の回転基部１０の外周に固定され前記ステータ８に対応する永久磁石１１と、前記羽根車３の回転基部１０の両端に固定された軸受１２と、区画用のケーシング９内の中心に固定され前記軸受１２を嵌め合わせて羽根車３を回転支持する回転支軸１３より構成され、したがって、モータ部１内が流路化されている。なお、センサー用基板５はモータ部１の外殻ケーシング７の内底部のスペースに配置している。
【０００５】
ポンプケーシング２の主部は羽根車収納部１４を有し、羽根車３の羽根を持つ主要部を収納しており、羽根車収納部１４はＯリング１５とＳＵＳ板１６を介在させてモータ部１の外殻ケーシング７のフランジ部に接合されている。また、ケーシングカバー４は、連通孔を持つパッキング１７と仕切板１８を介在させて前記ポンプケーシング２の開口側に接合されてあり、そして、吸込口１９と吐出口２０を有している。前記仕切板１８の中央部には軸支部２１を設けてあり、この軸支部２１により回転支軸１３の先端を支持している。
【０００６】
本体の外側に設けられる駆動用基板６は、ステータ８の巻線に流れる電流を供給する制御回路を有し、前記制御回路のＦＥＴ等の駆動用回路素子側を冷却するためにアルミケース２２内に設けられている。
【０００７】
上記構成の電磁駆動ポンプにおいて、センサー用基板５は羽根車３側の永久磁石１１のＮ、Ｓ極を感知し、矩形信号を駆動用基板６へ送っている。また、駆動用基板６は、センサー用基板５の信号を基に、ＦＥＴ等の駆動用回路素子によりステータ８の巻線へ電流を供給する。
【０００８】
こうしてステータ８の巻線に電流が供給されることで回転磁界が生じ、前記ステータ８に区画用のケーシング９を介して対向する永久磁石１１を回転基部１０に備えた羽根車３を回転し、所要のポンプ作用を行う。
【０００９】
【発明が解決しようとする課題】
前記従来の電磁駆動ポンプは、モータ部１におけるステータ８と羽根車３の回転基部１０の永久磁石１１としてラジアル異方性磁石を使用しており、ステータ８の巻線に流れる電流が大きくなり、ステータ８部の積厚を大きくしなければならない。また、前記ステータ８の巻線に流れる電流が大きくなると駆動用ＦＥＴ等の駆動用回路素子の発熱が大きくなるため、放熱板を介して水冷却する必要があり、前記ＦＥＴ等の駆動用回路素子を備えた駆動用基板６を本体の外に配置しなければならない。
【００１０】
以上の理由から、ポンプ長手方向および高さ方向の小型化ができないものであった。
【００１１】
そこで本発明は、前記従来の問題に留意し、小型化した電磁駆動ポンプを提供することを目的とする。
【００１２】
【課題を解決するための手段】
前記目的を達成するため、本発明は、モータ部の外殻ケーシング内に配置したステータとロータの永久磁石をケーシングで区画し、モータ部内に流路を形成した構成であって、前記永久磁石を極異方性の磁石で形成し、ロータの回転を検出するセンサー用基板および前記センサー用基板より信号を受ける駆動用基板を外殻ケーシング内に設け、前記駆動用基板の駆動用回路素子を外殻ケーシングのアルミニウムよりなるアルミ蓋に導熱性の接着剤であるシリコーン剤により密着させた電磁駆動ポンプの構成とする。
【００１３】
本発明によれば、ロータの永久磁石として極異方性の磁石を使用することにより、磁力アップ可能で、その結果、ステータ部巻線への電流値を低減させてステータ部の発熱を抑えることができ、さらに、ステータ部巻線の電流値を低減することから、駆動用回路素子の発熱が低減されるとともに、さらに、駆動用回路素子をアルミニウムよりなるアルミ蓋に導熱性の接着剤であるシリコーン剤により密着させることにより、水冷却の必要がなくなり、駆動用基板をモータ部の外殻ケーシング内に組込むことができるので、小型な電磁駆動ポンプを実現できる。
【００１４】
【発明の実施の形態】
本発明の請求項１に記載の発明は、モータ部の外殻ケーシング内にステータ部を配置し、ポンプ部の羽根車の回転基部であるロータの永久磁石を前記ステータ部の内側に位置させ、前記ステータと前記永久磁石をケーシングで区画してモータ部内に流路を形成した構成であって、前記永久磁石として極異方性の磁石を使用し、センサー用基板および駆動用基板を前記外殻ケーシング内に設け、前記駆動用基板の駆動用回路素子を外殻ケーシングのアルミニウムよりなるアルミ蓋に導熱性の接着剤であるシリコーン剤により密着させた電磁駆動ポンプであり、磁力アップ可能で、その結果、ステータ部巻線への電流値が低減し、駆動用回路素子への電流も小さくなり、ステータ部および駆動用回路素子への発熱が低減され、ステータの積厚を小さくでき、駆動用基板をモータ部の外殻ケーシング内に組込むことができて小型化できるという作用を有する。
【００１５】
以下、本発明の実施の形態を図面を参照して説明する。
（実施の形態１）
図１は、本発明の実施の形態１の電磁駆動ポンプの断面図、図２は同電磁駆動ポンプを使用した循環温浴装置の構成図である。なお、図１において、従来の技術と同じ構成部材には従来の技術と同一の符号を付与し、その構成と動作は省略する。
【００１６】
本実施の形態１の電磁駆動ポンプの特徴とするところは、モータ部１の外殻ケーシング７内にステータ８を配置し、ポンプ部１の羽根車３の回転基部であるロータの永久磁石１１を前記ステータ８の内側に位置させ、前記ステータ８と前記永久磁石１１を区画用のケーシング９で区画してモータ部１内に流路を形成した構成の電磁駆動ポンプにおいて、ロータの永久磁石１１として極異方性磁石を使用し、センサー用基板５および駆動用基板３７を外殻ケーシング７の内底部とステータ８間に配置し、外殻ケーシング７には導熱性金属であるアルミ蓋３９を設け、前記駆動用基板６の駆動用回路素子である駆動用ＦＥＴ３８を、導熱性の接着剤であるシリコーン剤４０によりアルミ蓋３９に密着させた構成にある。
【００１７】
なお、前記モータ部１における外殻ケーシング７の内底とステータ８間のスペースに、センサー用基板５の他に駆動用基板３７を配設することから、本体の外側には何も付設しない。また、ポンプ部の構成は従来の技術と変わらない。
【００１８】
本実施の形態１の電磁駆動ポンプは、上記のようにロータの永久磁石１１として極異方性磁石を使用することにより、磁力アップ可能で、その結果、ステータ８の巻線に流れる電流が小さくなり、ステータ８の積厚を減少させることが可能となり、ポンプの長手方向の長さを減少させることができる。
【００１９】
また、ステータ８の巻線に流れる電流が小さくなるため、しかも駆動用基板３７の駆動用ＦＥＴ３８をアルミ蓋３９に導熱性のシリコーン剤４０を密着させているので、駆動用基板３７内の駆動用ＦＥＴ３８に流れる電流が小さくなり、水冷却を不要とするので駆動用基板３７を外殻ケーシング７内に配置でき、本体の高さを減少させることができる。
【００２０】
上記構成により、従来の電磁駆動ポンプにくらべ、高さ方向で２１％、長さ方向３５％減少させた小型の電磁駆動ポンプを実現できた。
【００２１】
電磁駆動ポンプは、たとえば図２に示す循環温浴装置に組込まれて使用される。
【００２２】
すなわち、図示のようにバス２８に循環温浴器２９を付設し、バス２８内の浴水３０をヘアーキャップ３１より取水し、循環温浴器２９内の加熱部３２で所定の温度に加熱し、循環路３４を介して濾過槽３５に送りこんでいる浴水３０に含まれている汚れ成分や微生物などを吸着濾過した後、循環路３６を通してバス２８に戻す循環温浴装置において、構成の電磁駆動ポンプ３３を用いて浴水を循環する。そして、電磁駆動ポンプ３３は浴水３０を吸い込み、吐出し作用、ポンプ作用をする。
【００２３】
循環温浴器２９は室内機として浴室に設けられる場合と、屋外機として屋外に設置する場合がある。ここで電磁駆動ポンプ３３は前述の構成で小型にできるから、循環温浴器２９も小型にでき、その組立ても簡単になり、メンテナンスも容易にできる。
【００２４】
【発明の効果】
以上の説明より明らかなように本発明の電磁駆動ポンプは、ポンプ部のステータとロータの永久磁石をケーシングで区画してモータ部内に流路を形成した構成において、前記永久磁石として極異方性の磁石を使用し、センサー用基板および駆動用基板を外殻ケーシング内に設け、前記駆動用基板の駆動用回路素子を外殻ケーシングのアルミニウムよりなるアルミ蓋に導熱性の接着剤であるシリコーン剤により密着させたため、電磁駆動ポンプを小型化することができるという効果を有する。
【図面の簡単な説明】
【図１】本発明の実施の形態１の電磁駆動ポンプの断面図
【図２】同電磁駆動ポンプを使用した循環温浴装置の構成図
【図３】従来の電磁駆動ポンプの断面図
【符号の説明】
１  モータ部
２  ポンプケーシング
３  羽根車
４  ケーシングカバー
５  センサー用基板
７  外殻ケーシング
８  ステータ
９  区画用のケーシング
１０  回転基部
１１  永久磁石
１２  軸受
１３  回転支軸
１４  羽根車収納部
１５  Ｏリング
１６  ＳＵＳ板
１７  パッキン
１８  仕切板
１９  吸込口
２０  吐出口
２１  軸支部
３７  駆動用基板
３８  駆動用ＦＥＴ
３９  アルミ蓋
【図１】
0004250783.tif 000002
【図２】
0004250783.tif 000003
【図３】
0004250783.tif 000004